(57)【要約】【課題】テレビ放送を見ながら、これに関連した個々のユーザ所望の情報を、インターネット上の既存の情報を利用して即時性を維持しつつ表示することのできるデータ放送システム等を提供することを目的とする。【解決手段】  データ放送支援装置４のアクセス実行部８０は、表示端末装置６からフレームＩＤを含むアクセス要求を受けると、当該フレームＩＤと、フレーム情報データベース１０８に登録された各情報とに基づいて、情報取得先と情報種別とを特定し、特定された情報取得先（特定の情報提供サーバ１０の特定のウェブページ）および情報種別（たとえば、テキスト情報、画像情報など）にしたがって、要求された情報を取得する。情報送信部８２は、アクセス実行部８０の取得した情報を、表示端末装置６において表示させるためにインターネット８を介して表示端末装置６に送信する。【選択図】図２
2007336264.tif 000002
【特許請求の範囲】
【請求項１】
地上デジタル放送の携帯電話・移動体端末向けの１セグメント部分受信サービスを提供するためのデータ放送システムであって、
放送波を介して提供されるテレビ放送コンテンツと、放送波またはインターネットを介して提供されるデータ放送コンテンツと、を受信して同時に表示可能な表示端末装置と、
前記表示端末装置からの要求にしたがって、データ放送コンテンツをインターネットを介して前記表示端末装置に提供するデータ放送支援装置と、
インターネット上に存在する複数の情報提供サーバと、
を備え、
前記データ放送支援装置は、
インターネットを介して前記情報提供サーバにアクセス可能であり、
前記表示端末装置からアクセス要求を受けると、当該アクセス要求にしたがってインターネットを介して前記情報提供サーバにアクセスして情報の授受を行うアクセス実行部と、
前記アクセス実行部の取得した情報を、前記表示端末装置において表示させるためにインターネットを介して前記表示端末装置に送信する情報送信部と、
を備えた、
データ放送システム。
【請求項２】
地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援装置であって、
インターネット上に存在する複数の情報提供サーバに、インターネットを介してアクセス可能であり、
前記表示端末装置からのアクセス要求を受けると、当該アクセス要求にしたがってインターネットを介して前記情報提供サーバにアクセスして情報の授受を行うアクセス実行部と、
前記アクセス実行部の取得した情報を、前記表示端末装置において表示させるためにインターネットを介して前記表示端末装置に送信する情報送信部と、
を備えた、
データ放送支援装置。
【請求項３】
コンピュータを、
地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援装置であって、
インターネット上に存在する複数の情報提供サーバに、インターネットを介してアクセス可能であり、
前記表示端末装置からのアクセス要求を受けると、当該アクセス要求にしたがってインターネットを介して前記情報提供サーバにアクセスして情報の授受を行うアクセス実行部と、
前記アクセス実行部の取得した情報を、前記表示端末装置において表示させるためにインターネットを介して前記表示端末装置に送信する情報送信部と、
を備えた、
データ放送支援装置、
として機能させるためのプログラム。
【請求項４】
請求項３のプログラムを記録した記録媒体。
【請求項５】
請求項１のシステム、請求項２の装置、請求項３のプログラムまたは請求項４のプログラムを記録した記録媒体において、
前記情報提供サーバとして、前記表示端末装置のユーザ識別情報を含むユーザ属性情報を登録するユーザデータベースにアクセス可能なユーザ情報サーバを備え、
前記データ放送支援装置のアクセス実行部は、
前記表示端末装置から前記ユーザ情報サーバへの最初のアクセス要求を受けると、当該アクセス要求にしたがってインターネットを介して前記ユーザ情報サーバにアクセスし、当該アクセス要求に含まれる当該表示端末装置固有の放送用識別情報を前記ユーザ識別情報と関連付けて前記ユーザデータベースに登録する識別情報関連登録部と、
前記ユーザ情報サーバのユーザデータベースにユーザ識別情報と放送用識別情報とが関連付けて登録されていることを条件として、前記表示端末装置から前記ユーザ情報サーバへのアクセス要求にしたがって当該ユーザ情報サーバにアクセスして情報の授受を行う条件付き情報授受部と、
を備えたこと、を特徴とするもの。
【請求項６】
請求項１のシステム、請求項２の装置、請求項３のプログラム、請求項４のプログラムを記録した記録媒体、または、請求項５のシステム、装置、プログラムもしくはプログラムを記録した記録媒体のいずれかにおいて、
前記データ放送支援装置は、
前記表示端末装置ごとのアクセス情報を記録するアクセス記録データベースにアクセス可能であり、
当該データ放送支援装置は、
前記表示端末装置からインターネットを介して当該データ放送支援装置へのアクセス要求があると、当該アクセス要求に含まれる当該表示端末装置固有の放送用識別情報とアクセス日時情報とを関連付けてアクセス記録データベースに記録するアクセス記録部、
を、さらに備えたこと、
を特徴とするもの。
【請求項７】
請求項１のシステム、請求項２の装置、請求項３のプログラムまたは請求項４のプログラムを記録した記録媒体、または、請求項５ないし請求項６のシステム、装置、プログラムもしくはプログラムを記録した記録媒体のいずれかにおいて、
前記データ放送支援装置は、暗号化された前記表示端末装置固有の放送用識別情報を登録するための暗号化識別情報データベースにアクセス可能であり、
前記データ放送支援装置のアクセス実行部は、
前記表示端末装置から当該データ放送支援装置への最初のアクセス要求を受けると、当該アクセス要求に含まれる当該表示端末装置固有の放送用識別情報を１方向関数により暗号化して暗号化識別情報データベースに登録する暗号化識別情報登録部と、
前記暗号化識別情報データベースに暗号化された放送用識別情報が登録されていることを条件として、前記表示端末装置から当該データ放送支援装置へのアクセス要求にしたがって特定の情報処理を行う条件付き情報処理部と、
を備えたこと、を特徴とするもの。
【請求項８】
請求項１のシステム、請求項２の装置、請求項３のプログラムまたは請求項４のプログラムを記録した記録媒体、または、請求項５ないし請求項７のシステム、装置、プログラムもしくはプログラムを記録した記録媒体のいずれかにおいて、
前記データ放送支援装置は、
前記表示端末装置ごとの暗号化されたアクセス情報を記録する暗号化アクセス記録データベースにアクセス可能であり、
当該データ放送支援装置は、
前記表示端末装置からインターネットを介して当該データ放送支援装置へのアクセス要求があると、当該アクセス要求に含まれる当該表示端末装置固有の放送用識別情報を１方向関数により暗号化するとともに、暗号化された放送用識別情報と、当該データ放送支援装置へのアクセス日時情報とを関連付けて暗号化アクセス記録データベースに記録する暗号化アクセス記録部、
を、さらに備えたこと、
を特徴とするもの。
【請求項９】
インターネット上に存在する複数の情報提供サーバに、インターネットを介してアクセス可能なコンピュータを用いて、
地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援方法であって、
前記表示端末装置からのアクセス要求を受けると、当該アクセス要求にしたがってインターネットを介して前記情報提供サーバにアクセスして情報の授受を行い、
前記情報提供サーバから取得した情報を、前記表示端末装置において表示させるためにインターネットを介して前記表示端末装置に送信する、
ステップを備えた、
データ放送支援方法。
【発明の詳細な説明】
【技術分野】
【０００１】
この発明はデータ放送システム、データ放送支援装置、データ放送支援方法に関し、とくに地上デジタル放送の携帯電話・移動体端末向けの１セグメント部分受信サービスを提供するためのデータ放送システム等に関する。
【背景技術】
【０００２】
地上デジタル放送の携帯電話・移動体端末向けの１セグメント部分受信サービス（以下、「ワンセグ放送」という。）が知られている。
【０００３】
ワンセグ放送対応の携帯電話機や携帯情報端末機などを用いると、移動中であっても鮮明なデジタルテレビ放送を視聴することができると同時に、インタラクティブなデータ放送を視聴することができる。
【０００４】
たとえば、図１３Ａに示すように、ワンセグ放送対応の携帯電話機の表示画面１２０の上部にあるテレビ放送表示領域１２２にテレビ放送が，下部にあるデータ放送表示領域１２４にデータ放送が表示される。
【０００５】
データ放送コンテンツはBML（Broadcast Markup Language）で記述されており、ワンセグ放送対応の携帯電話機等はＢＭＬブラウザを搭載している。データ放送表示領域１２４には，リンク付きのテキストや簡易なグラフィックス等を表示することができる。リンク付きのテキスト等がクリックされると、これに関連する、より詳細なページが、インターネットを介して配信され、図１３Ｂに示すように、データ放送表示領域１２４に表示される（１次リンク）。
【０００６】
このようにワンセグ放送は、テレビ放送とインタラクティブなデータ放送とを同時に表示させることにより、テレビ放送を見ながら、これに関連した個々のユーザ所望の情報を入手することができるので、好都合である。
【０００７】
しかしながら、ワンセグ放送には、つぎのような問題がある。現在のワンセグ放送においては、１次リンクのリンク先は、特定の単一のドメイン、すなわち、受信中のテレビ放送に対応して許可された特定のＢＭＬ通信サーバ、に限定されている。この特定のＢＭＬ通信サーバは、当該テレビ放送の放送波を送出している放送局の管理下に置かれている。
【０００８】
したがって、データ放送の内容の豊富化、即時性を実現するために、各放送局は、自己の管理下にあるＢＭＬ通信サーバに、それぞれ大量の専用コンテンツを投入し、常にデータを更新しておくことが好ましい。
【０００９】
しかし、ＢＭＬ通信サーバに大量の自前の専用コンテンツを持たせ、常にデータを更新しておくことは容易ではない。また、インターネット上に有用な情報が既に存在しているにもかかわらず、これら既存の情報と同様の情報を、各放送局が各自、別途、作成・更新するとなると、経済的にも時間的にも無駄・無理が生ずる。
【００１０】
一方、ワンセグ放送対応の携帯電話機等においては、ＢＭＬブラウザの他にWebブラウザも搭載しているのが一般的であることから、データ放送表示領域１２４に表示させるテキスト等に、インターネット上の既存の携帯電話向けサイトへのリンク付けをしておき、当該テキスト等がクリック（選択・決定）されるとWebブラウザを起動して当該携帯電話向けサイトに飛ぶよう構成することができる（２次リンク）。
【００１１】
このように構成すると、自局のＢＭＬ通信サーバに大量の自前の専用コンテンツを持たせたり、当該コンテンツを常にデータ更新したりする必要がないことから好都合であるが、Webブラウザを起動すると、図１３Ｂに示すデータ放送表示領域１２２およびテレビ放送表示領域１２４が、図１３Ｃに示すように、Web表示領域１２６に変わってしまう（全画面Web表示となってしまう）ため、Web表示中はテレビ放送を視聴することができない、といった不都合が生ずる。
【発明の開示】
【発明が解決しようとする課題】
【００１２】
この発明は、ワンセグ放送における上記のような課題を解決し、テレビ放送を見ながら、これに関連した個々のユーザ所望の情報を、インターネット上の既存の情報を利用して即時性を維持しつつ表示することのできるデータ放送システム等を提供することを目的とする。
【課題を解決するための手段】
【００１３】
この発明によるデータ放送システムは、地上デジタル放送の携帯電話・移動体端末向けの１セグメント部分受信サービスを提供するためのデータ放送システムであって、放送波を介して提供されるテレビ放送コンテンツと、放送波またはインターネットを介して提供されるデータ放送コンテンツと、を受信して同時に表示可能な表示端末装置と、前記表示端末装置からの要求にしたがって、データ放送コンテンツをインターネットを介して前記表示端末装置に提供するデータ放送支援装置と、インターネット上に存在する複数の情報提供サーバと、を備え、前記データ放送支援装置は、インターネットを介して前記情報提供サーバにアクセス可能であり、前記表示端末装置からアクセス要求を受けると、当該アクセス要求にしたがってインターネットを介して前記情報提供サーバにアクセスして情報の授受を行うアクセス実行部と、前記アクセス実行部の取得した情報を、前記表示端末装置において表示させるためにインターネットを介して前記表示端末装置に送信する情報送信部と、を備えている。
【００１４】
この発明によるデータ放送支援装置は、地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援装置であって、インターネット上に存在する複数の情報提供サーバに、インターネットを介してアクセス可能であり、前記表示端末装置からのアクセス要求を受けると、当該アクセス要求にしたがってインターネットを介して前記情報提供サーバにアクセスして情報の授受を行うアクセス実行部と、前記アクセス実行部の取得した情報を、前記表示端末装置において表示させるためにインターネットを介して前記表示端末装置に送信する情報送信部と、を備えている。
【００１５】
この発明によるプログラムは、コンピュータを、地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援装置であって、インターネット上に存在する複数の情報提供サーバに、インターネットを介してアクセス可能であり、前記表示端末装置からのアクセス要求を受けると、当該アクセス要求にしたがってインターネットを介して前記情報提供サーバにアクセスして情報の授受を行うアクセス実行部と、前記アクセス実行部の取得した情報を、前記表示端末装置において表示させるためにインターネットを介して前記表示端末装置に送信する情報送信部と、を備えた、データ放送支援装置、として機能させるためのものである。
【００１６】
この発明によるデータ放送支援方法は、インターネット上に存在する複数の情報提供サーバに、インターネットを介してアクセス可能なコンピュータを用いて、地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援方法であって、前記表示端末装置からのアクセス要求を受けると、当該アクセス要求にしたがってインターネットを介して前記情報提供サーバにアクセスして情報の授受を行い、前記情報提供サーバから取得した情報を、前記表示端末装置において表示させるためにインターネットを介して前記表示端末装置に送信する、ステップを備えている。
【００１７】
本発明の特徴は、上記のように広く示すことができるが、その構成や内容は、目的および特徴とともに、図面を考慮に入れた上で、以下の開示によりさらに明らかになるであろう。
【発明の効果】
【００１８】
請求項１によるデータ放送システムは、地上デジタル放送の携帯電話・移動体端末向けの１セグメント部分受信サービスを提供するためのデータ放送システムであって、放送波を介して提供されるテレビ放送コンテンツと、放送波またはインターネットを介して提供されるデータ放送コンテンツと、を受信して同時に表示可能な表示端末装置と、前記表示端末装置からの要求にしたがって、データ放送コンテンツをインターネットを介して前記表示端末装置に提供するデータ放送支援装置と、インターネット上に存在する複数の情報提供サーバと、を備え、前記データ放送支援装置は、インターネットを介して前記情報提供サーバにアクセス可能であり、前記表示端末装置からアクセス要求を受けると、当該アクセス要求にしたがってインターネットを介して前記情報提供サーバにアクセスして情報の授受を行うアクセス実行部と、前記アクセス実行部の取得した情報を、前記表示端末装置において表示させるためにインターネットを介して前記表示端末装置に送信する情報送信部と、を備えている。
【００１９】
請求項２によるデータ放送支援装置は、地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援装置であって、インターネット上に存在する複数の情報提供サーバに、インターネットを介してアクセス可能であり、前記表示端末装置からのアクセス要求を受けると、当該アクセス要求にしたがってインターネットを介して前記情報提供サーバにアクセスして情報の授受を行うアクセス実行部と、前記アクセス実行部の取得した情報を、前記表示端末装置において表示させるためにインターネットを介して前記表示端末装置に送信する情報送信部と、を備えている。
【００２０】
請求項３によるプログラムは、コンピュータを、地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援装置であって、インターネット上に存在する複数の情報提供サーバに、インターネットを介してアクセス可能であり、前記表示端末装置からのアクセス要求を受けると、当該アクセス要求にしたがってインターネットを介して前記情報提供サーバにアクセスして情報の授受を行うアクセス実行部と、前記アクセス実行部の取得した情報を、前記表示端末装置において表示させるためにインターネットを介して前記表示端末装置に送信する情報送信部と、を備えた、データ放送支援装置、として機能させるためのものである。
【００２１】
請求項４によるプログラムを記録した記録媒体は、上記プログラムを記録している。
【００２２】
請求項９によるデータ放送支援方法は、インターネット上に存在する複数の情報提供サーバに、インターネットを介してアクセス可能なコンピュータを用いて、地上デジタル放送の携帯電話・移動体端末向けの１セグメント部分受信サービスを提供するために、放送波を介して提供されるテレビ放送コンテンツと、放送波またはインターネットを介して提供されるデータ放送コンテンツと、を受信して同時に表示可能な表示端末装置からの要求にしたがって、データ放送コンテンツをインターネットを介して前記表示端末装置に提供するデータ放送支援方法であって、前記表示端末装置からのアクセス要求を受けると、当該アクセス要求にしたがってインターネットを介して前記情報提供サーバにアクセスして情報の授受を行い、前記情報提供サーバから取得した情報を、前記表示端末装置において表示させるためにインターネットを介して前記表示端末装置に送信する、ステップを備えている。
【００２３】
つまり、これらのシステム、装置、プログラム、プログラムを記録した記録媒体および方法においては、データ放送支援装置（コンピュータ）は、インターネット上に存在する既存の１または２以上の情報提供サーバ（たとえば、既存の携帯電話向けサイト）にインターネットを介してアクセスできるよう構成されている。そして、データ放送支援装置は、ワンセグ放送の表示端末装置からアクセス要求を受けると、当該アクセス要求にしたがってインターネット上の上記情報提供サーバにアクセスし、アクセスした情報提供サーバから、所望の情報を取得し、取得した情報を、表示端末装置において表示させるために、インターネットを介して表示端末装置に送信するよう構成されている。
【００２４】
したがって、大量の自前の専用コンテンツを持ち常にデータを更新しておくといった非効率な方法をとらなくとも、インターネット上の既存の有用な情報を有効に利用することで、ワンセグ放送におけるデータ放送の内容の豊富化、即時性を実現することができる。
【００２５】
また、既存の携帯電話向けサイトなど情報提供サーバから取得した情報は、データ放送支援装置から配信され、表示端末装置においてデータ放送コンテンツとして表示されるから、表示端末装置にてWebブラウザを起動することなくＢＭＬブラウザで視ることができる。このため、テレビ放送表示領域にてテレビ放送を視聴しながら、既存の携帯電話向けサイトから取得した即時性のある情報を、データ放送表示領域にて視ることが可能となる。
【００２６】
すなわち、ワンセグ放送において、テレビ放送を見ながら、これに関連した個々のユーザ所望の情報を、インターネット上の既存の情報を利用して即時性を維持しつつ表示することのできるデータ放送システム等を実現することができる。
【００２７】
請求項５のシステム、装置、プログラムまたはプログラムを記録した記録媒体においては、情報提供サーバとして、表示端末装置のユーザ識別情報を含むユーザ属性情報を登録するユーザデータベースにアクセス可能なユーザ情報サーバを備え、データ放送支援装置のアクセス実行部は、表示端末装置からユーザ情報サーバへの最初のアクセス要求を受けると、当該アクセス要求にしたがってインターネットを介してユーザ情報サーバにアクセスし、当該アクセス要求に含まれる当該表示端末装置固有の放送用識別情報をユーザ識別情報と関連付けてユーザデータベースに登録する識別情報関連登録部と、ユーザ情報サーバのユーザデータベースにユーザ識別情報と放送用識別情報とが関連付けて登録されていることを条件として、表示端末装置からユーザ情報サーバへのアクセス要求にしたがって当該ユーザ情報サーバにアクセスして情報の授受を行う条件付き情報授受部と、を備えたこと、を特徴とする。
【００２８】
つまり、上記ユーザデータベースにユーザ識別情報と放送用識別情報とが関連付けて登録されていることを条件として、表示端末装置からユーザ情報サーバへのアクセス要求にしたがって当該ユーザ情報サーバにアクセスして情報の授受を行うよう構成することで、当該ユーザ情報サーバにおいて当該ユーザに限定して許可される情報の授受、たとえば、ユーザ情報サーバに既に構築されている当該ユーザ専用の携帯電話用ウェブページの編集や表示などを、テレビ放送を視聴しながら、データ放送表示領域にて実行させることが可能となる。
【００２９】
さらに、携帯電話機など表示端末装置のユーザの氏名、年齢、性別、職業、住所、趣味など、表示端末装置のユーザ属性情報を登録したユーザデータベースがインターネット上に既に存在する場合には、当該ユーザに関する既存のユーザ属性情報とワンセグ放送の放送用識別情報とを関連付けて登録することで、ワンセグ放送視聴者に関するユーザ属性情報を容易に把握することができる。
【００３０】
請求項６のシステム、装置、プログラムまたはプログラムを記録した記録媒体においては、データ放送支援装置は、表示端末装置ごとのアクセス情報を記録するアクセス記録データベースにアクセス可能であり、当該データ放送支援装置は、表示端末装置からインターネットを介して当該データ放送支援装置へのアクセス要求があると、当該アクセス要求に含まれる当該表示端末装置固有の放送用識別情報とアクセス日時情報とを関連付けてアクセス記録データベースに記録するアクセス記録部を、さらに備えたこと、を特徴とする。
【００３１】
つまり、表示端末装置からインターネットを介して当該データ放送支援装置へのアクセス要求があったことを条件として、当該表示端末装置からのアクセス日時情報を逐一記録することができる。したがって、たとえば、この記録を、当該データ放送支援装置の属する放送局のワンセグ放送番組表情報と照合することで、どの表示端末装置によってどの番組が視聴されたかがわかる。このため、簡略な視聴率調査が可能となる。
【００３２】
さらに、上述のように、ユーザ情報サーバのユーザデータベースにユーザ識別情報と放送用識別情報とが関連付けて登録されている場合には、これを利用することで、どのような属性（たとえば氏名、年齢、性別、職業、住所、趣味など）のユーザがどの番組を視聴していたか、まで把握することが可能になる。したがって、このような情報を活用して、番組編成の参考にしたり、番組スポンサーのマーケット戦略を構築したりすることが可能となる。
【００３３】
請求項７のシステム、装置、プログラムまたはプログラムを記録した記録媒体においては、データ放送支援装置は、暗号化された表示端末装置固有の放送用識別情報を登録するための暗号化識別情報データベースにアクセス可能であり、データ放送支援装置のアクセス実行部は、表示端末装置から当該データ放送支援装置への最初のアクセス要求を受けると、当該アクセス要求に含まれる当該表示端末装置固有の放送用識別情報を１方向関数により暗号化して暗号化識別情報データベースに登録する暗号化識別情報登録部と、暗号化識別情報データベースに暗号化された放送用識別情報が登録されていることを条件として、表示端末装置から当該データ放送支援装置へのアクセス要求にしたがって特定の情報処理を行う条件付き情報処理部と、を備えたこと、を特徴とする。
【００３４】
したがって、暗号化識別情報データベースに暗号化された放送用識別情報が登録されていることを条件として、表示端末装置から当該データ放送支援装置へのアクセス要求にしたがって特定の情報処理を行うよう構成することで、匿名性を維持しつつ、当該データ放送支援装置において当該表示端末装置のユーザに限定した特定の情報処理、たとえば、当該ユーザ専用の携帯電話用ウェブページの構築やデータ放送表示領域における当該ウェブページの表示などを、テレビ放送を視聴しながら、実行させることが可能となる。
【００３５】
請求項８のシステム、装置、プログラムまたはプログラムを記録した記録媒体においては、データ放送支援装置は、表示端末装置ごとの暗号化されたアクセス情報を記録する暗号化アクセス記録データベースにアクセス可能であり、当該データ放送支援装置は、表示端末装置からインターネットを介して当該データ放送支援装置へのアクセス要求があると、当該アクセス要求に含まれる当該表示端末装置固有の放送用識別情報を１方向関数により暗号化するとともに、暗号化された放送用識別情報と、当該データ放送支援装置へのアクセス日時情報とを関連付けて暗号化アクセス記録データベースに記録する暗号化アクセス記録部を、さらに備えたこと、を特徴とする。
【００３６】
つまり、表示端末装置からインターネットを介して当該データ放送支援装置へのアクセス要求があったことを条件として、当該表示端末装置からのアクセス日時情報を逐一記録することができる。したがって、たとえば、この記録を、当該データ放送支援装置の属する放送局のワンセグ放送番組表情報と照合することで、どの表示端末装置によってどの番組が視聴されたかがわかる。このため、簡略な視聴率調査が可能となる。
【００３７】
しかも、当該表示端末装置の放送用識別情報は暗号化されているため、匿名性を維持することができる。このため、たとえば、異なる放送局に属している別々のデータ放送支援装置の間で、アクセス日時情報（すなわち、複数のデータ放送支援装置間におけるそれぞれのアクセス日時情報）を共有することが容易となる。このため、たとえば、系列放送局間や系列外放送局間で視聴率に関する情報交換を行ったり、第三者に委託して、各放送局の視聴率調査を実施したりすることが可能となる。
【００３８】
なお、請求の範囲および明細書における「データ放送コンテンツ」とは、放送波送出設備からデータ放送として放送波を介して表示端末装置に提供される情報全般、および、データ放送支援装置からデータ放送としてインターネットを介して表示端末装置に提供される情報全般をいい、たとえば、表示端末装置における表示対象となる情報そのものの他、当該表示端末における表示等の制御に用いられる情報を含む。
【発明を実施するための最良の形態】
【００３９】
図１は、この発明の一実施形態によるデータ放送システム２の構成を示す図面である。データ放送システム２は、地上デジタル放送の携帯電話・移動体端末向けの１セグメント部分受信サービスを提供するためのデータ放送システムであって、放送波送出設備１６、表示端末装置６，コンピュータであるデータ放送支援装置４、複数の情報提供サーバ１０を備えている。
【００４０】
放送波送出設備１６は、放送波を介して、テレビ放送コンテンツおよびデータ放送コンテンツを提供する。
【００４１】
データ放送支援装置４は、表示端末装置６からの要求にしたがって、データ放送コンテンツを、インターネット８を介して表示端末装置６に提供する。
【００４２】
表示端末装置６は、放送波を介して提供されるテレビ放送コンテンツと、放送波またはインターネット８を介して提供されるデータ放送コンテンツと、を受信して、これらを同時に表示することができる。
【００４３】
情報提供サーバ１０は、インターネット上に存在する既存のサーバである。データ放送支援装置４は、インターネットを介して、情報提供サーバ１０にアクセス可能である。
【００４４】
ユーザ情報サーバ１２は、情報提供サーバ１０の一種であり、表示端末装置６のユーザ識別情報を含むユーザ属性情報を登録するユーザデータベース１４にアクセス可能である。
【００４５】
図２は、図１のデータ放送システム２を構成するデータ放送支援装置４の構成を示すブロック図である。
【００４６】
図２に示すように、データ放送支援装置４は、アクセス実行部８０，情報送信部８２，アクセス記録部８６，暗号化アクセス記録部８８を備えている。また、データ放送支援装置４は、フレーム情報データベース１０８，暗号化識別情報データベース１００，アクセス記録データベース１０２，暗号化アクセス記録データベース１０４，番組表データベース１０６にアクセス可能である。
【００４７】
アクセス実行部８０は、表示端末装置６からアクセス要求を受けると、当該アクセス要求にしたがってインターネット８を介して情報提供サーバ１０にアクセスして情報の授受を行う。
【００４８】
情報の授受の方法はとくに制限されるものではない。たとえば、この実施形態においては、フレーム情報データベース１０８に基づいて、情報提供サーバ１０から情報を取得するよう構成している。
【００４９】
図１０Ａに示すように、フレーム情報データベース１０８には、表示すべき情報の表示端末装置６における表示領域を規定する情報であるフレームＩＤと、表示すべき情報の取得先を規定する情報である情報取得先情報とが、対応づけて登録されている。さらに、この実施形態においては、これらの情報とともに、表示すべき情報の種別を規定する情報種別情報、表示すべき情報のデータ量の最大値（制限値）を規定する情報最大値が、関連付けて登録されている。情報最大値は、表示端末装置６に表示すべき情報の形式的制限を表す形式情報の一種である。
【００５０】
アクセス実行部８０は、表示端末装置６からフレームＩＤを含むアクセス要求を受けると、当該フレームＩＤと、フレーム情報データベース１０８に登録された各情報とに基づいて、情報取得先と情報種別とを特定し、特定された情報取得先（特定の情報提供サーバ１０の特定のウェブページ）および情報種別（たとえば、テキスト情報、画像情報など）にしたがって、要求された情報を取得する。
【００５１】
図２に戻って、情報送信部８２は、アクセス実行部８０の取得した情報を、表示端末装置６において表示させるためにインターネット８を介して表示端末装置６に送信する。
【００５２】
情報送信部８２は、情報加工部８４を備えている。情報加工部８４は、アクセス実行部８０の取得した情報の形式が表示端末装置６における表示に適さない形式である場合に、これを、表示端末装置６における表示に適する形式に加工する。
【００５３】
たとえば、アクセス実行部８０の取得した情報が、フレーム情報データベース１０８に規定された情報最大値を超える場合には、取得したテキスト情報を公知の自動要約プログラムを用いて、情報最大値（制限文字数）以下の文書になるように加工したり、取得した画像データを公知の圧縮技術を用いて圧縮加工して情報最大値（制限画像データ量）以下になるようにしたりする。
【００５４】
この実施形態においては、フレーム情報データベース１０８に登録された形式情報である情報最大値（情報制限値）に基づいて、表示端末装置６における表示に適する形式に加工するよう構成している。なお、この形式情報は、情報最大値（情報制限値）に限定されるものではない。形式情報としては、この他に、フォントの種類、大きさ、色、画像の種類などが想定できる。
【００５５】
また、情報加工部８４は、上記機能以外にも、たとえば、アクセス実行部８０の取得した情報がBML以外の言語で記述されている場合に、これをBML言語に変換する機能も備えている。
【００５６】
このように、アクセス実行部８０により取得された情報は、情報加工部８４において所定の形式に整えられた後、インターネット８を介して表示端末装置６に送信される。
【００５７】
さらに、この実施形態においては、アクセス実行部８０は、識別情報関連登録部９０，条件付き情報授受部９２を備えている。
【００５８】
識別情報関連登録部９０は、表示端末装置６からユーザ情報サーバ１２への最初のアクセス要求を受けると、当該アクセス要求にしたがってインターネット８を介してユーザ情報サーバ１２にアクセスし、当該アクセス要求に含まれる当該表示端末装置６固有の放送用識別情報を、ユーザ識別情報と関連付けてユーザデータベース１４に登録する。
【００５９】
図１１Ａは、ユーザデータベース１４のデータ構造の一例を示す図面である。ユーザデータベース１４には、放送用識別情報であるワンセグ識別子と、ユーザ識別情報であるユーザＩＤとが関連付けて登録される。
【００６０】
図示しないが、ユーザデータベース１４には、ユーザの氏名、年齢、性別、職業、住所、趣味など、携帯電話機のユーザとしてのユーザ属性情報が、ユーザＩＤと関連付けて既に登録されている場合があり、このような場合には、既存のユーザ属性情報を利用することができるので好都合である。
【００６１】
図２に戻って、条件付き情報授受部９２は、ユーザ情報サーバ１２のユーザデータベース１４にユーザ識別情報と放送用識別情報とが関連付けて登録されていることを条件として、表示端末装置６からユーザ情報サーバ１２へのアクセス要求にしたがって当該ユーザ情報サーバ１２にアクセスして所定の情報の授受を行う。
【００６２】
アクセス記録部８６は、表示端末装置６からインターネット８を介してデータ放送支援装置４へのアクセス要求があると、当該アクセス要求に含まれる当該表示端末装置６固有の放送用識別情報と、アクセス日時情報とを関連付けて、アクセス記録データベース１０２に記録する。
【００６３】
図１１Ｂに示すように、アクセス記録データベース１０２には、アクセス要求ごとのアクセス情報が記録される。
【００６４】
図１０Ｂに示すように、番組表データベース１０６には、ワンセグ放送番組表情報として、当該放送局の番組日時、放送番組名、スポンサー名等に関する情報が相互に関連付けて登録されている。データ放送支援装置４は、アクセス日時情報と、番組表データベース１０６に登録されている情報とに基づいて、アクセス日時情報に対応する放送番組名を特定し、特定した放送番組名を、アクセス記録データベース１０２に記録する。
【００６５】
つまり、この実施形態においては、アクセス記録データベース１０２には、放送用識別情報であるワンセグ識別子と、アクセス日時情報と、放送番組名とが関連付けて記録される。
【００６６】
図２に戻って、アクセス実行部８０は、さらに、暗号化識別情報登録部９４，条件付き情報処理部９６を備えている。
【００６７】
暗号化識別情報登録部９４は、表示端末装置６からデータ放送支援装置４への最初のアクセス要求を受けると、当該アクセス要求に含まれる当該表示端末装置６固有の放送用識別情報を１方向関数により暗号化して暗号化識別情報データベース１０４に登録する。
【００６８】
図１２Ａは、暗号化識別情報データベース１００のデータ構造の一例を示す図面である。暗号化識別情報データベース１００には、暗号化された表示端末装置６固有の放送用識別情報である暗号化ワンセグ識別子と、許容される特定の情報処理（たとえば、特定の情報提供サーバ１０との間でのデータ授受）を示す情報、すなわち指定処理ＩＤ、とが関連付けて、登録されている。
【００６９】
条件付き情報処理部９６は、暗号化識別情報データベース１００に暗号化された放送用識別情報が登録されていることを条件として、表示端末装置６からデータ放送支援装置４へのアクセス要求にしたがって、暗号化識別情報データベース１００に登録されている特定の情報処理を実行する。
【００７０】
暗号化アクセス記録部８８は、表示端末装置６からインターネット８を介してデータ放送支援装置４へのアクセス要求があると、当該アクセス要求に含まれる表示端末装置６固有の放送用識別情報を１方向関数により暗号化するとともに、暗号化された放送用識別情報と、当該データ放送支援装置４へのアクセス日時情報とを関連付けて暗号化アクセス記録データベース１０４に記録する。
【００７１】
図１２Ｂに示すように、暗号化アクセス記録データベース１０４には、各表示端末装置６について、アクセス要求ごとの暗号化されたアクセス情報が記録される。
【００７２】
データ放送支援装置４は、アクセス日時情報と、番組表データベース１０６に登録されている情報とに基づいて、アクセス日時情報に対応する放送番組名を特定し、特定した放送番組名を、暗号化アクセス記録データベース１０４に記録する。
【００７３】
つまり、この実施形態においては、暗号化アクセス記録データベース１０４には、暗号化された放送用識別情報である暗号化ワンセグ識別子と、アクセス日時情報と、放送番組名とが関連付けて記録される。
【００７４】
図３は、データ放送支援装置として機能する通信系ＢＭＬサーバ４，表示端末装置として機能するワンセグ端末６，および情報提供サーバとして機能するインターネット上の一般サーバ１０（ユーザ情報サーバとして機能する携帯認定サーバ１２）のハードウェア構成を説明するためのブロック図である。
【００７５】
通信系ＢＭＬサーバ４は、通常のサーバコンピュータと同様のハードウェア構成を備えている。すなわち、通信系ＢＭＬサーバ４は、図２に示す各種データベース１００，１０２，１０４，１０６，１０８の記憶媒体であり本システムのプログラムを記録した記録媒体でもある記憶装置としてのハードディスク５０、ハードディスク５０に記録されたプログラムを主メモリ（図示せず）にロードして実行する制御部であるＣＰＵ４２，表示装置であるＬＣＤ（液晶表示装置）４４，入力装置であるキーボード４６およびマウス４８，ならびに、情報通信網としてのインターネット８を介してワンセグ端末６および一般サーバ１０（携帯認定サーバ１２）と通信するための通信インタフェース５２を備えている。
【００７６】
一般サーバ１０（携帯認定サーバ１２）は、通信系ＢＭＬサーバ４と、ほぼ同様のハードウェア構成である。すなわち、一般サーバ１０（携帯認定サーバ１２）は、入力装置であるキーボード２６およびマウス２８，表示装置であるＬＣＤ２４、ＯＳ（オペレーションシステム）その他のプログラムを記録した記憶装置であるハードディスク３０、ハードディスク３０に記録されたプログラム等を主メモリ（図示せず）にロードして実行するＣＰＵ２２，インターネット８を介して通信系ＢＭＬサーバ４等と通信するための通信インタフェース３２を備えている。なお、携帯認定サーバ１２のハードディスク３０は、図１に示すユーザデータベース１４としても機能する。
【００７７】
この実施形態においては、ワンセグ端末６は、たとえば、ワンセグ放送視聴可能な携帯電話機である。ワンセグ端末６は、放送波を受信して受信内容を表示すべく機能する受信処理部６６，入力装置である操作ボタン６８，表示装置であるＬＣＤ６４、ＯＳや閲覧プログラム等を記録した記憶装置であるメモリ７０、メモリ７０に記録されたプログラム等を実行するＣＰＵ６２，インターネット８を介して通信系ＢＭＬサーバ４等と通信するための通信インタフェース７２、スピーカ７４を備えている。なお、携帯電話機としての構成については、記載を省略している。
【００７８】
図９は、ワンセグ端末６の表示画面１１０の構成の一例を模式的に表現した図面である。表示画面１１０は、テレビ放送表示領域１１２およびデータ放送表示領域１１４を備えている。説明の便宜上、データ放送表示領域１１４は複数の要素表示領域（フレーム）により構成されているものとする。これら複数の要素表示領域をフレーム１１４ａ、１１４ｂ、１１４ｃ、１１４ｄ、１１４ｅとする。
【００７９】
図４は、データ放送システム２における基本的な処理の流れの一例を示すフローチャートである。
【００８０】
図４に基づいて、図３その他の図面を参照しつつ、データ放送システム２の基本的な処理の動作について説明する。まず、図１に示す放送波送出設備１６としてのデータ放送送信設備１６からデータ放送波が送出される（図４、ステップＳ１）。
【００８１】
図３に示すワンセグ端末６は、放送波からデータ放送コンテンツを受信する（ステップＳ２）。放送波からのデータ放送コンテンツは、ＢＭＬにて記述されており、この実施形態においては、フレーム情報および情報取得要求（関数）を含んでいる。フレーム情報は、図９に示す各フレーム１１４ａ、１１４ｂ、１１４ｃ、１１４ｄ、１１４ｅの位置および形状（大きさ）を規定する情報を含んでいる。
【００８２】
情報取得要求は、通信系ＢＭＬサーバ４に対し、各フレームに挿入すべき情報を取得して引き渡すことを要求する関数である。
【００８３】
ワンセグ端末６は、受信したＢＭＬに含まれる情報取得要求を、インターネット８を介して、通信系ＢＭＬサーバ４に送信する（ステップＳ３）。ワンセグ端末６から通信系ＢＭＬサーバ４に送信された情報取得要求が、上述のアクセス要求に対応する。アクセス要求には、さらに、各フレーム１１４ａ、１１４ｂ、１１４ｃ、１１４ｄ、１１４ｅを特定するフレームＩＤが含まれている。
【００８４】
図３に示す通信系ＢＭＬサーバ４のＣＰＵ４２は、ワンセグ端末６からアクセス要求を受信すると、受信したアクセス要求を所定の形式に変換する（ステップＳ４）とともに、一般サーバ１０に当該要求を送信する（ステップＳ５）。これらのステップにおいて、ＣＰＵ４２は、受信したアクセス要求に含まれるフレームＩＤと、フレーム情報データベース１０８（図１０Ａ参照）に登録されている各情報とに基づいて、情報取得先と情報種別とを特定し、特定された情報取得先（特定の一般サーバ１０の特定のウェブページ）に対し、特定の情報種別（たとえば、テキスト情報、画像情報など）の情報の返信を要求するのである。
【００８５】
一般サーバ１０は、通信系ＢＭＬサーバ４からの要求された情報を返信する（ステップＳ６）。
【００８６】
通信系ＢＭＬサーバ４のＣＰＵ４２は、一般サーバ１０からの返信を受け取ると（ステップＳ７）、受け取った情報の形式がワンセグ端末６における表示に適さない形式であるか否かを判断し、表示に適さない形式である場合には、これを、ワンセグ端末６における表示に適する形式に加工する（ステップＳ８）。
【００８７】
このステップにおいて、たとえば、一般サーバ１０から返信されてきた情報が、フレーム情報データベース１０８に規定された情報最大値を超える場合には、取得したテキスト情報を公知の自動要約プログラムを用いて、情報最大値（制限文字数）以下の文書になるように加工したり、取得した画像データを公知の圧縮技術を用いて圧縮加工して情報最大値（制限画像データ量）以下になるようにしたりする。
【００８８】
また、このステップにおいて、たとえば、一般サーバ１０から返信されてきた情報がＢＭＬ以外の言語、たとえばＨＴＭＬ（HyperText Markup Language）、で記述されている場合に、これをＢＭＬに変換する。
【００８９】
つぎに、通信系ＢＭＬサーバ４のＣＰＵ４２は、前ステップにおいて加工された情報をインターネット８を介してワンセグ端末６に送信する（ステップＳ９）。もちろん、一般サーバ１０から返信されてきた情報がワンセグ端末６における表示に適する形式であった場合には、ステップＳ８をスキップする。
【００９０】
ワンセグ端末６は、通信系ＢＭＬサーバ４からの応答（上記アクセス要求に対する応答）を受信する（ステップＳ１０）。
【００９１】
つぎに、ワンセグ端末６は、受信した情報を各フレーム１１４ａ、１１４ｂ、１１４ｃ、１１４ｄ、１１４ｅに割り当て、図９に示すデータ放送表示領域１１４に表示する（ステップＳ１１，ステップＳ１２）。
【００９２】
このように、本実施形態よれば、ワンセグ放送において、テレビ放送表示領域１１２にてテレビ放送を見ながら、これに関連した個々のユーザ所望の情報を、インターネット上の既存の情報を利用して即時性を維持しつつデータ放送表示領域１１４に表示させることができるのである。
【００９３】
なお、この実施形態においては、ワンセグ端末６が放送波を介して受信するデータ放送コンテンツに含まれる情報取得要求は、通信系ＢＭＬサーバ４に対し、各フレームに挿入すべき情報を取得して引き渡すことを要求する関数であるとするとともに、通信系ＢＭＬサーバ４は、ワンセグ端末６から、フレームＩＤおよび情報取得要求を含むアクセス要求を受信すると、受信したアクセス要求に含まれるフレームＩＤと、フレーム情報データベース１０８に登録されている各情報とに基づいて、情報取得先と情報種別とを特定し、特定された情報取得先に対し、特定の情報種別の情報の返信を要求するよう構成したが、この発明は、これに限定されるものではない。
【００９４】
たとえば、ワンセグ端末６が放送波を介して受信するデータ放送コンテンツに含まれる情報取得要求（関数）自体に、フレーム情報データベース１０８に登録されている各情報（図１０Ａ参照）を含ませておき、通信系ＢＭＬサーバ４は、ワンセグ端末６から、当該情報取得要求を含むアクセス要求を受信すると、情報取得要求に含まれる情報にしたがって情報取得先と情報種別とを特定し、特定された情報取得先に対し、特定の情報種別の情報の返信を要求するよう構成することもできる。このように構成すると、フレーム情報データベース１０８は不要となる。
【００９５】
また、この実施形態においては、放送波からのデータ放送コンテンツは、フレーム情報および情報取得要求（関数）を含んでいるが、表示すべきデータそのものは含まれていないものとし、ワンセグ端末６は、放送波を介してフレーム情報および情報取得要求（関数）を受け取ると、自動的に通信系ＢＭＬサーバ４にアクセス要求を行い、表示すべきデータを、通信系ＢＭＬサーバ４を介して、一般サーバ１０から取得し、これを受け取ってフレーム情報にしたがって自己のデータ放送表示領域１１４に表示するよう構成したが、この発明は、これに限定されるものではない。
【００９６】
たとえば、放送波からのデータ放送コンテンツに、表示すべきデータそのものを含ませておき、ワンセグ端末６は、放送波を介して表示すべきデータそのものを受け取って、これをデータ放送表示領域１１４に表示するよう構成してもよい。この場合、ワンセグ端末６に対するユーザの操作（たとえば、特定の操作ボタン６８の押下、特定の表示オブジェクトの選択・決定等）により、次に表示すべきデータを、通信系ＢＭＬサーバ４を介して、一般サーバ１０から取得し、これを受け取って自己のデータ放送表示領域１１４の表示内容を更新するよう構成してもよい。
【００９７】
図４におけるステップＳ４，ステップＳ５およびステップＳ７が、図２におけるアクセス実行部８０に対応する。ステップＳ８が情報加工部８４に対応する。ステップＳ８およびステップＳ９が情報送信部８２に対応する。
【００９８】
つぎに、図５は、データ放送システム２におけるデータマッピング処理の流れの一例を示すフローチャートである。データマッピング処理は、ワンセグ端末６から、通信系ＢＭＬサーバ４を介して、ユーザ情報サーバとしての携帯認定サーバ１２への最初のアクセス要求があったときに実行される。
【００９９】
図５に基づいて、図３その他の図面を参照しつつ、データ放送システム２におけるデータマッピング処理の説明を行う。
【０１００】
まず、図１に示す放送波送出設備１６としてのデータ放送送信設備１６からデータ放送波が送出されると、図３に示すワンセグ端末６は、放送波からデータ放送コンテンツを受信するが（図４，ステップＳ１，ステップＳ２参照）、この実施形態においては、放送波から配信されたデータ放送コンテンツを構成するＢＭＬには、放送用識別情報としてのワンセグ識別子を読み取れとの命令（関数）が、さらに含まれている。
【０１０１】
したがって、ワンセグ端末６は、放送波からデータ放送コンテンツを受信すると、これに含まれるワンセグ識別子読み取り命令（関数）にしたがって、自動的に自己のワンセグ識別子の読み取り（取得）を行う（ステップＳ１５）。ワンセグ識別子は、当該ワンセグ端末６を他のワンセグ端末と区別するためのユニークな識別子であり、たとえば、メモリ７０に書き換え不能に焼き付けられている。
【０１０２】
ワンセグ端末６は、読み取ったワンセグ識別子を、携帯認定サーバ１２へのアクセス要求に含ませて、自動的に、または、ワンセグ端末６に対するユーザの操作に基づいて、通信系ＢＭＬサーバ４に送信する（ステップＳ１６）。
【０１０３】
図３に示す通信系ＢＭＬサーバ４のＣＰＵ４２は、ワンセグ端末６からワンセグ識別子を含んだアクセス要求を受信すると、当該アクセス要求にしたがってインターネット８を介して指定された携帯認定サーバ１２にアクセスし、当該アクセス要求に含まれる当該表示端末装置６固有のワンセグ識別子を、ユーザ識別情報としてのユーザＩＤと関連付けてユーザデータベース１４に登録するよう携帯認定サーバ１２に命令する（ステップＳ１７）。
【０１０４】
ユーザＩＤは、ワンセグ端末６をインターネットに接続可能な情報表示端末（この実施形態では「携帯電話機」）として把握した場合において、当該情報端末を他の情報端末と区別するためのユニークな識別情報であり、たとえば、メモリ７０に書き換え不能に焼き付けられている。
【０１０５】
上記のワンセグ識別子およびユーザＩＤは、一般に、ワンセグ端末６が他の機器と交信する場合にその交信内容に潜在的に含まれる。なお、ワンセグ端末６の機種によっては、ワンセグ識別子およびユーザＩＤとして同一の識別情報が用いられることもある。
【０１０６】
携帯認定サーバ１２は、通信系ＢＭＬサーバ４から受信した命令に潜在的に含まれるユーザＩＤを読み取る（ステップＳ１８）。
【０１０７】
携帯認定サーバ１２は、ユーザデータベース１４にアクセスし、前ステップにおいて読み取ったユーザＩＤと、通信系ＢＭＬサーバ４から受信した命令に含まれているワンセグ識別子とを、関連付けてユーザデータベース１４に登録する（図１１Ａ参照）（ステップＳ１９）。
【０１０８】
つぎに、図６は、データ放送システム２における会員コンテンツアクセス処理の流れの一例を示すフローチャートである。会員コンテンツアクセス処理は、図５に示すデータマッピング処理後に、ワンセグ端末６から、通信系ＢＭＬサーバ４を介して、携帯認定サーバ１２の会員コンテンツに対するアクセス要求があったときに行われる。
【０１０９】
図６に基づいて、図３その他の図面を参照しつつ、データ放送システム２における会員コンテンツアクセス処理の説明を行う。
【０１１０】
図６のステップＳ２１およびステップＳ２２における処理内容は、図５のステップＳ１５およびステップＳ１６における処理内容と同様であるので、説明を省略する。
【０１１１】
つぎに、通信系ＢＭＬサーバ４のＣＰＵ４２は、ワンセグ端末６からワンセグ識別子を含んだアクセス要求を受信すると、当該アクセス要求にしたがってインターネット８を介して指定された携帯認定サーバ１２にアクセスし、携帯認定サーバ１２に対し、当該アクセス要求に含まれる当該表示端末装置６固有のワンセグ識別子がユーザＩＤと関連付けてユーザデータベース１４に登録されているか否かを判断するとともに、登録されている場合には、当該ユーザＩＤに対応する会員向けコンテンツデータを返信するよう、命令する（ステップＳ２３）。
【０１１２】
携帯認定サーバ１２は、通信系ＢＭＬサーバ４から受信した命令にしたがってユーザデータベース１４にアクセスし、当該命令に含まれるワンセグ識別子がユーザＩＤと関連付けてユーザデータベース１４に登録されているか否かを判断するとともに（ステップＳ２４）、登録されている場合には、当該ユーザＩＤに対応する会員向けコンテンツデータを取得して、これを通信系ＢＭＬサーバ４に返信する（ステップＳ２５）。
【０１１３】
図６のステップＳ２６およびステップＳ２７における処理は、図４のステップＳ８およびステップＳ９における処理と略同様であり、ステップＳ２８における処理は、ステップＳ１０，ステップＳ１１およびステップＳ１２における処理と略同様であるので、説明を省略する。
【０１１４】
図５におけるステップＳ１７が、図２における識別情報関連登録部９０に対応する。図６におけるステップＳ２３が条件付き情報授受部９２に対応する。
【０１１５】
なお、上述の会員コンテンツアクセス処理を構成する通信系ＢＭＬサーバ４のいずれかのステップ、たとえばステップＳ２３において、アクセス記録処理を併せて実行するよう構成することもできる。アクセス記録処理は、ワンセグ端末６からインターネット８を介して通信系ＢＭＬサーバ４へのアクセス要求があると、当該アクセス要求に含まれるワンセグ識別子とアクセス日時情報とを関連付けてアクセス記録データベース１０２（図１１Ｂ参照）に記録する処理である。このアクセス記録処理が、図２におけるアクセス記録部８６に対応する。
【０１１６】
このアクセス記録処理において、さらに、アクセス日時情報と当該日時における当該放送局の放送番組名とを、関連付けて記録するよう構成することもできる。すなわち、ワンセグ端末６からインターネット８を介して通信系ＢＭＬサーバ４へのアクセス要求があると、当該アクセス要求のアクセス日時情報と、番組表データベース１０６（図１０Ｂ参照）とに基づいて、当該アクセス日時における放送番組名を抽出し、抽出した放送番組名をアクセス日時情報と関連付けて、アクセス記録データベース１０２（図１１Ｂ参照）に記録するのである。
【０１１７】
つぎに、図７は、データ放送システム２における暗号化識別情報登録処理の流れの一例を示すフローチャートである。暗号化識別情報登録処理は、ワンセグ端末６からデータ放送支援装置としての他社サーバ４（他社の通信系ＢＭＬサーバ）への最初のアクセス要求を受けると、当該アクセス要求に含まれる当該ワンセグ端末６固有のワンセグ識別子を１方向関数により暗号化して暗号化識別情報データベース１００に登録する処理である。
【０１１８】
なお、この実施形態においては、データ放送支援装置として他社サーバ４を想定しているが、もちろん、データ放送支援装置として自社の通信系ＢＭＬサーバ４を想定した場合にも、この実施形態が適用できることは言うまでもない。
【０１１９】
図７に基づいて、図３その他の図面を参照しつつ、データ放送システム２における暗号化識別情報登録処理の説明を行う。
【０１２０】
図７のステップＳ３１およびステップＳ３２における処理内容は、図５のステップＳ１５およびステップＳ１６における処理内容と同様であるので、説明を省略する。
【０１２１】
つぎに他社サーバ４のＣＰＵ４２は、ワンセグ端末６からワンセグ識別子を含んだアクセス要求を受信すると、当該アクセス要求にしたがって、当該ワンセグ識別子を１方向関数としてのハッシュ関数により暗号化し（ステップＳ３３）、暗号化されたワンセグ識別子を、暗号化識別情報データベース１００（図１２Ａ参照）に登録する（ステップＳ３４）。
【０１２２】
つぎに、図８は、データ放送システム２における暗号化を伴う会員コンテンツアクセス処理の流れの一例を示すフローチャートである。暗号化を伴う会員コンテンツアクセス処理は、図７に示す暗号化識別情報登録処理後に、ワンセグ端末６から、他社サーバ４の会員コンテンツに対するアクセス要求があったときに行われる。
【０１２３】
もちろん、この暗号化を伴う会員コンテンツアクセス処理の場合も、上述の暗号化識別情報登録処理の場合と同様に、データ放送支援装置として、他社サーバ４ではなく、自社の通信系ＢＭＬサーバ４を想定して適用することもできる。
【０１２４】
図８に基づいて、図３その他の図面を参照しつつ、データ放送システム２における暗号化を伴う会員コンテンツアクセス処理の説明を行う。
【０１２５】
図８のステップＳ４１、ステップＳ４２およびステップＳ４３における処理内容は、図７のステップＳ３１，ステップＳ３２およびステップＳ３３における処理内容と略同様であるので、説明を省略する。
【０１２６】
つぎに、他社サーバ４のＣＰＵ４２は、暗号化されたワンセグ識別子が、暗号化識別情報データベース１００に登録されているか否かを判断するとともに（ステップＳ４４）、登録されている場合には、暗号化識別情報データベース１００の登録内容にしたがって、当該暗号化されたワンセグ識別子に対応する会員向けコンテンツデータを読み込み、これをワンセグ端末６に送信する（ステップＳ４５）。
【０１２７】
図１２Ａに示すように、暗号化識別情報データベース１００には、暗号化されたワンセグ識別子と、許容される処理内容を示す指定処理ＩＤとが、関連付けて登録されているが、この実施形態においては、指定処理ＩＤ欄に、たとえば、当該ワンセグ端末６に対応する会員向けコンテンツデータのアドレス情報を登録しておけばよい。
【０１２８】
図８のステップＳ４６における処理は、図６のステップＳ２８における処理と略同様であるので、説明を省略する。
【０１２９】
図７におけるステップＳ３３およびステップＳ３４が、図２における暗号化識別情報登録部９４に対応する。図８におけるステップＳ４３およびステップＳ４４が条件付き情報処理部９６に対応する。
【０１３０】
なお、上述の暗号化を伴う会員コンテンツアクセス処理を構成する他社サーバ４のいずれかのステップ、たとえばステップＳ４３において、暗号化アクセス記録処理を併せて実行するよう構成することもできる。暗号化アクセス記録処理は、ワンセグ端末６からインターネット８を介して他社サーバ４へのアクセス要求があると、当該アクセス要求に含まれるワンセグ識別子を１方向関数により暗号化するとともに、暗号化されたワンセグ識別子とアクセス日時情報とを関連付けて暗号化アクセス記録データベース１０４（図１２Ｂ参照）に記録する処理である。このアクセス記録処理が、図２における暗号化アクセス記録部８８に対応する。
【０１３１】
この暗号化アクセス記録処理において、さらに、アクセス日時情報と当該日時における当該他社放送局の放送番組名とを、関連付けて記録するよう構成することもできる。すなわち、ワンセグ端末６からインターネット８を介して他社サーバ４へのアクセス要求があると、当該アクセス要求のアクセス日時情報と、当該他社放送局の番組表データベース１０６（図１０Ｂ参照）とに基づいて、当該アクセス日時における放送番組名を抽出し、抽出した放送番組名をアクセス日時情報と関連付けて、暗号化アクセス記録データベース１０４（図１２Ｂ参照）に記録するのである。
【０１３２】
もちろん、この暗号化アクセス記録処理の場合も、上述の暗号化識別情報登録処理や暗号化を伴う会員コンテンツアクセス処理の場合と同様に、データ放送支援装置として、他社サーバ４ではなく、自社の通信系ＢＭＬサーバ４を想定して適用することができる。
【０１３３】
なお、上述の実施形態においては、データ放送支援装置を介して情報提供サーバから情報を取得したり、データ放送支援装置から直接的に情報を取得したりした上で、取得したこれらの情報を表示端末装置に表示させる場合を例に説明したが、この発明は、これに限定されるものではない。
【０１３４】
たとえば、表示端末装置が、データ放送支援装置を介して情報提供サーバに情報を書き込んだり、データ放送支援装置に直接的に情報を書き込んだりする場合にも、この発明を適用することができる。
【０１３５】
また、上述の実施形態においては、表示端末装置としてワンセグ放送対応の携帯電話機を例に説明したが、この発明はこれに限定されるものではない。たとえば、ワンセグ放送対応の携帯情報端末機、ワンセグ放送対応のパーソナルコンピュータ、ワンセグ放送対応のカーナビゲーションシステムなど、ワンセグ放送対応の表示画面を有する機器全般に、この発明を適用することができる。
【０１３６】
また、上述のシステム構成図、ブロック図、ハードウェア構成、フローチャート、各種データ構造、表示画面等は例として挙げたものであり、本願発明は、上述のシステム構成図、ブロック図、ハードウェア構成、フローチャート、各種データ構造、表示画面等に限定されるものではない。
【０１３７】
また、データ放送支援装置、情報提供サーバ（ユーザ情報サーバを含む）として、複数のコンピュータを分散配置することもできる。この場合、たとえば、制御部の機能を有するコンピュータと、データベースを有するコンピュータとを、別のコンピュータで構成することもできる。なお、分散配置する場合は、これらを情報通信網を介して相互に接続することもできる。
【０１３８】
また、データベースの数や種類も特に限定されるものではなく、上述のデータベースを分割して、複数のデータベースとすることもできる。また、データベースを構成するテーブルの数や種類も特に限定されるものではなく、１つのテーブルを分割して複数のテーブルとしたり、２以上のテーブルを結合して１つのテーブルとしたりとすることもできる。また、データベースを構成する各種記憶部の数や種類も特に限定されるものではなく、上述の各種記憶部をさらに分割したり、まとめたりすることもできる。なお、各種記憶部を分割配置する場合は、これらを情報通信網を介して相互に接続することもできる。
【０１３９】
なお、この実施形態においては、データ放送支援装置を構成するプログラムは、データ放送支援装置のハードディスクにインストールされたものを実行するようにしている。ただし、当該プログラムの保持形態はこれに限定されるものではない。たとえば、当該プログラムを、ＣＤ−ＲＯＭ、フレキシブルディスク、磁気テープ等に記録するようにしてもよい。
【０１４０】
さらに、有線や無線の情報通信網を介して当該プログラムを配信するようにしてもよい。また、当該プログラムをプログラム配布サーバ（図示せず）にインストールしておき、たとえばインターネットなどの情報通信網を介してクライアントコンピュータに当該プログラムを実行させるようにしてもよい。
【０１４１】
また、プログラムやデータの記録態様や配布態様は特に限定されるものではない。直接実行できる形で記録媒体に記録したり配布したりする他、たとえば、解凍して使用するように圧縮された形で記録媒体に記録したり配布したりすることもできる。
【０１４２】
なお、上述の実施形態においては、コンピュータを用いて図２の各機能を実現する場合を例に説明したが、図２の機能の一部または全部を、ハードウェアロジックを用いて構成するようにしてもよい。
【０１４３】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【図面の簡単な説明】
【０１４４】
【図１】この発明の一実施形態によるデータ放送システム２の構成を示す図面である。
【図２】図１のデータ放送システム２を構成するデータ放送支援装置４の構成を示すブロック図である。
【図３】通信系ＢＭＬサーバ４，ワンセグ端末６，およびインターネット上の一般サーバ１０（携帯認定サーバ１２）のハードウェア構成を説明するためのブロック図である。
【図４】データ放送システム２における基本的な処理の流れの一例を示すフローチャートである。
【図５】データ放送システム２におけるデータマッピング処理の流れの一例を示すフローチャートである。
【図６】データ放送システム２における会員コンテンツアクセス処理の流れの一例を示すフローチャートである。
【図７】データ放送システム２における暗号化識別情報登録処理の流れの一例を示すフローチャートである。
【図８】データ放送システム２における暗号化を伴う会員コンテンツアクセス処理の流れの一例を示すフローチャートである。
【図９】ワンセグ端末６の表示画面１１０の構成の一例を示す図面である。
【図１０】図１０Ａは、フレーム情報データベース１０８のデータ構造の一例を示す図面である。図１０Ｂは、番組表データベース１０６のデータ構造の一例を示す図面である。
【図１１】図１１Ａは、ユーザデータベース１４のデータ構造の一例を示す図面である。図１１Ｂは、アクセス記録データベース１０２のデータ構造の一例を示す図面である。
【図１２】図１２Ａは、暗号化識別情報データベース１００のデータ構造の一例を示す図面である。図１２Ｂは、暗号化アクセス記録データベース１０４のデータ構造の一例を示す図面である。
【図１３】図１３Ａ、図１３Ｂおよび図１３Ｃは、従来のワンセグ放送対応の携帯電話機の表示画面１２０に表示される画面の一例を示す図面である。
【符号の説明】
【０１４５】
４：データ放送支援装置
６：表示端末装置
８：インターネット
１０：情報提供サーバ
８０：アクセス実行部
８２：情報送信部
１０８：フレーム情報データベース
特許出願人  朝日放送株式会社
出願人代理人  弁理士  田川  幸一
【図１】
2007336264.tif 000003
【図２】
2007336264.tif 000004
【図３】
2007336264.tif 000005
【図４】
2007336264.tif 000006
【図５】
2007336264.tif 000007
【図６】
2007336264.tif 000008
【図７】
2007336264.tif 000009
【図８】
2007336264.tif 000010
【図９】
2007336264.tif 000011
【図１０】
2007336264.tif 000012
【図１１】
2007336264.tif 000013
【図１２】
2007336264.tif 000014
【図１３】
2007336264.tif 000015